(57)【要約】【課題】場所をとらず、結線が容易で、美観に優れ、かつ、音質に優れた大型テレビ用ＴＶラックを提供すること。【解決手段】ＴＶラックは、左ツイーターを含む複数の左スピーカーユニットを有する左スピーカーと、中央ツイーターを含む複数の中央スピーカーユニットを有する中央スピーカーと、右ツイーターを含む複数の右スピーカーユニットを有する右スピーカーと、左スピーカー、右スピーカー、中央スピーカーのエンクロージャーとして機能し、かつ、上部にＴＶが設置されるための水平台部と、水平台部を水平に保持する脚部とを備え、複数の左スピーカーユニット、複数の中央スピーカーユニット、複数の右スピーカーユニットの軸が水平方向の一直線上に位置し、水平台部に仕切壁が設けられることにより、左スピーカー、右スピーカー、中央スピーカーの容積空間がそれぞれ独立して規定されている。【選択図】図１
2010178378.tif 000002
【特許請求の範囲】
【請求項１】
少なくとも左ツイーターを含む複数の左スピーカーユニットを有する左スピーカーと、
少なくとも中央ツイーターを含む複数の中央スピーカーユニットを有する中央スピーカーと、
少なくとも右ツイーターを含む複数の右スピーカーユニットを有する右スピーカーと、
前記左スピーカー、前記右スピーカーおよび前記中央スピーカーのエンクロージャーとして機能し、かつ、上部にＴＶが設置されるための水平台部と、
前記水平台部を水平に保持する脚部とを備え、
前記複数の左スピーカーユニット、前記複数の中央スピーカーユニット、および、前記複数の右スピーカーユニットの軸が水平方向の一直線上に位置し、
前記水平台部に仕切壁が設けられることにより、前記左スピーカー、前記右スピーカーおよび前記中央スピーカーの容積空間がそれぞれ独立して規定されている、ＴＶラック。
【発明の詳細な説明】
【技術分野】
【０００１】
本発明は、スピーカーシステムに関する。より詳細には、本発明は、場所をとらず、結線が容易で、かつ、音質に優れた大型テレビ用スピーカーシステムに関する。
【背景技術】
【０００２】
近年、プラズマテレビや液晶テレビのような大型薄型テレビが急速に普及してきている。その結果、このような大型薄型テレビを利用した家庭内オーディオ・ビジュアル（ＡＶ）システム（いわゆる、ホームシアターシステム）の潜在需要も急速に高まっていると考えられる。
【０００３】
しかし、実際には、このようなホームシアターシステムは、潜在需要ほど普及していない。その理由としては、（１）日本の住宅事情を考えた場合に、ホームシアター用のスピーカーシステムの設置場所がない、（２）システム用の各機器の接続が煩雑で、かつ、接続後の配線が部屋内で露出して見苦しい、および（３）大型テレビとのセットで販売されているトールスピーカー（縦長スピーカー）は倒れやすいので、設置を嫌がる人が多い、等が考えられる。
【０００４】
一方、大型テレビに内蔵のスピーカーだけでは、その音質が大画面の映像に比べて不十分であるので、映画やスポーツを十分に楽しむことができない。
【０００５】
上記のような問題を解決するために、スピーカーを内蔵したテレビ収納ラックが提案されている（特許文献１および２参照）。しかし、特許文献１のラックは、アンプやスピーカーを収納したそれぞれのユニットを組み立てて完成させる必要があるため、各ユニット（各機器）の接続の煩雑さは全く解消しない。さらに、このラックは、音質向上のための工夫が全くなされていない。また、特許文献２のラックは、ラックの支持部材にスピーカーを取り付け、支持部材を音響管として用いているが、ホームシアター用のサラウンド効果については不十分である。さらに、このラックは、スピーカーを支持部材に取り付けているので、スピーカーが外部に露出しており、美感には優れていない。
【先行技術文献】
【特許文献】
【０００６】
【特許文献１】実用新案登録第３０４０８８３号
【特許文献２】特開２００４−４８１６８号公報
【０００７】
以上のように、場所をとらず、結線が容易で、美観に優れ、かつ、音質に優れた大型テレビ用スピーカーシステムが強く望まれている。
【発明の概要】
【発明が解決しようとする課題】
【０００８】
本発明は上記従来の課題を解決するためになされたものであり、その目的とするところは、場所をとらず、結線が容易で、美観に優れ、かつ、音質ならびにサラウンド効果に優れた大型テレビ用スピーカーシステム（ＴＶラック）を提供することにある。
【課題を解決するための手段】
【０００９】
本発明の好ましい実施形態によるＴＶラックは、少なくとも左ツイーターを含む複数の左スピーカーユニットを有する左スピーカーと、少なくとも中央ツイーターを含む複数の中央スピーカーユニットを有する中央スピーカーと、少なくとも右ツイーターを含む複数の右スピーカーユニットを有する右スピーカーと、前記左スピーカー、前記右スピーカーおよび前記中央スピーカーのエンクロージャーとして機能し、かつ、上部にＴＶが設置されるための水平台部と、前記水平台部を水平に保持する脚部とを備え、前記複数の左スピーカーユニット、前記複数の中央スピーカーユニット、および、前記複数の右スピーカーユニットの軸が水平方向の一直線上に位置し、前記水平台部に仕切壁が設けられることにより、前記左スピーカー、前記右スピーカーおよび前記中央スピーカーの容積空間がそれぞれ独立して規定されている。
【発明の効果】
【００１０】
本発明によれば、それぞれのスピーカーユニットの軸が水平方向の一直線上に位置するようにして、左スピーカーと右スピーカーと中央スピーカーとを配置することにより、きわめて優れた音の移動感を実現できる。さらに、これらのスピーカーを組み込んだ水平台部が、これらのスピーカーのエンクロージャーとして機能するのみならず、大型テレビの載置台となるので、従来のホームシアターシステムに比べてテレビとスピーカーの設置スペースを格段に小さくすることができる。さらに、スピーカー側の配線は水平台部内で接続が完了しているので、ユーザーは、テレビのスピーカー端子にスピーカーのリード線を接続するだけでよい。したがって、結線の煩雑さも解消される。しかも、スピーカー側の配線の大部分は水平台部に収容されているので、接続後の配線の見苦しさもない。以上のように、本発明によれば、場所をとらず、結線が容易で、美観に優れ、かつ、音質に優れた大型テレビ用スピーカーシステムが提供され得る。
【図面の簡単な説明】
【００１１】
【図１】図１は、本発明の好ましい実施形態によるスピーカーシステムを説明する概略斜視図である。
【図２】図１のスピーカーシステムの正面図である。
【図３】図１のスピーカーシステムを上方向から見たときの断面図である。
【図４】さらに好ましい実施形態によるスピーカーシステムを上方向から見たときの断面図である。
【発明を実施するための形態】
【００１２】
以下、本発明の好ましい実施形態について図面を参照して説明するが、本発明はこれらの実施形態には限定されない。
【００１３】
図１は、本発明の好ましい実施形態によるスピーカーシステムを説明する概略斜視図である。図２は、図１のスピーカーシステムの正面図である。図３は、図１のスピーカーシステムを上方向から見たときの断面図である。図４は、さらに好ましい実施形態によるスピーカーシステムを上方向から見たときの断面図である。このスピーカーシステム１００は、水平台部１０と、水平台部１０を水平に保持する脚部２０とを備える。水平台部１０は、左スピーカー１１Ｌと右スピーカー１１Ｒと中央スピーカー１１Ｃとを有する。好ましくは、左スピーカー１１Ｌ、右スピーカー１１Ｒおよび中央スピーカー１１Ｃは、それぞれ、少なくとも１つのツイーターと少なくとも１つのウーハーとを有する。図示例においては、左スピーカー１１Ｌおよび右スピーカー１１Ｒは、それぞれ、ツイーターとウーハーとを１つずつ備える。中央スピーカーは、ツイーターと２つのウーハーとを備える。それぞれのスピーカーが備えるユニットの種類、構成および数は、目的に応じて適宜選択され得る。必要に応じて、少なくとも１つのダクトが、左スピーカー１１Ｌ、右スピーカー１１Ｒおよび中央スピーカー１１Ｃの少なくとも１つに設けられる。ダクトを設けることにより、低域の音質がさらに改善され得る。図示例においては、左スピーカー１１Ｌ、右スピーカー１１Ｒおよび中央スピーカー１１Ｃのそれぞれに、ダクトが１つずつ設けられている。ダクトの形状、数、配置位置等は、目的に応じて適宜選択され得る。
【００１４】
水平台部１０の左スピーカー１１Ｌ、右スピーカー１１Ｒおよび中央スピーカー１１Ｃは、それぞれのスピーカーユニットの軸（すなわち、ツイーターおよびウーハーの振動板の中心）が水平方向の一直線上（図１の一点鎖線Ｈ上）に位置するようにして配置されている。このような構成を採用することにより、きわめて優れた音の移動感を実現できる。その結果、簡易な構成で優れたサラウンドシステムを実現することができる。
【００１５】
水平台部１０は、左スピーカー１１Ｌ、右スピーカー１１Ｒおよび中央スピーカー１１Ｃのエンクロージャーとして機能する。同時に、水平台部１０は、大型テレビの載置台となるに十分な特性（例えば、強度、広さ、および安定性（ぐらつかないこと））を有している。水平台部１０が大型テレビを載置するに十分な広さを有することの結果として、左スピーカー１１Ｌ、右スピーカー１１Ｒおよび中央スピーカー１１Ｃの容積空間が大きくなるので、これらのスピーカーの音質（特に、低域）が顕著に改善され得る。
【００１６】
上記水平台部１０は、左スピーカー１１Ｌ、右スピーカー１１Ｒおよび中央スピーカー１１Ｃのそれぞれの容積空間を規定する仕切壁１２を備える。仕切壁１２は、水平台部１０の補強部材としても機能し、大型テレビの載置台となるに十分な強度が付与される。好ましくは、図３に示すように、仕切壁１２は、スピーカーの軸方向に対して斜め方向に設けられている。このような構成を採用することにより、定在波の発生が軽減され得る。仕切壁１２とスピーカーの軸方向とが規定する角度（斜め方向へのズレ具合：図３の角度α）は、目的に応じて適切に設定され得るが、代表的には５〜４５度である。
【００１７】
好ましくは、図４に示すように、上記左スピーカー１１Ｌと上記中央スピーカー１１Ｃとの間、ならびに、該中央スピーカー１１Ｃと上記右スピーカー１１Ｒとの間に、緩衝空間１５が規定されている。緩衝空間１５は、例えば、左スピーカー１１Ｌと中央スピーカー１１Ｃとの間、ならびに、中央スピーカー１１Ｃと右スピーカー１１Ｒとの間の仕切壁１２をそれぞれ２枚にして、その間に空間を設けることにより形成され得る。このような緩衝空間１５を規定することにより、スピーカー同士の相互作用による悪影響を防止して、さらに優れた音質を有するスピーカーシステムを得ることができる。必要に応じて、緩衝空間１５の少なくとも一部に任意の適切な吸音材が配置され得る。より具体的には、吸音材を緩衝空間１５の全体に充填してもよく、吸音材を緩衝空間１５側の仕切壁１２に貼り付けてもよい。吸音材を配することにより、スピーカー同士の相互作用がさらに良好に防止され得る。
【００１８】
好ましくは、図３に示すように、上記水平台部１０は、配線収容部１３をさらに有する。すなわち、スピーカー（左スピーカー１１Ｌ、右スピーカー１１Ｒおよび中央スピーカー１１Ｃ）側のリード線はすべて結線され、水平台部１０の内部に収容される。その結果、配線が室内に露出するという見苦しさが解消される。配線収容部１３は、例えば、巻き取り構造（さらに好ましくは、リール構造）１４を有する。巻き取り構造を採用することにより、スピーカーのリード線のテレビ側端部がスピーカーシステム外部に露出する長さを調整することができるので、室内（スピーカーシステム外部）に露出する配線を極力少なくすることができる。加えて、配線収容部１３においては、スピーカー（および、必要に応じて増幅器等の各機器）の結線が完了しているので、ユーザーは、テレビのスピーカー端子に上記スピーカーのリード線のテレビ側端部を接続するだけでよい。したがって、結線の煩雑さが解消されたユーザーフレンドリーな大型テレビ用スピーカーシステムが得られる。
【００１９】
上記脚部２０は、大型テレビを載置した水平台部１０を水平に保持するに十分な特性（例えば、強度および安定性（ぐらつかないこと））を有している。脚部２０の構造は、水平台部１０を安定して水平保持できる限りにおいて特に限定されないが、好ましくは、図１に示すように、水平台部１０の両側部全体を支持する。このような構造は保持安定性に優れる。さらに、内部を空洞にすることにより、脚部２０がスピーカーシステムの容積空間としても機能し得、あるいは、さらなるスピーカーおよび／または各種機器を組み込むことができる（後述）。
【００２０】
好ましくは、上記脚部２０には、さらなるスピーカーが装備され得る。脚部２０に装備されるスピーカーの種類および構成は、目的に応じて適宜選択され得る。スピーカーは脚部２０の一方に装備されてもよく、両方に装備されてもよい。両方に装備する場合、両方に同一種類のスピーカーを装備してもよく、異なる種類のスピーカーを装備してもよい。代表的には、脚部２０の一方にサブウーハーが装備される。その場合、脚部２０のもう一方には、増幅器が装備され得る。このような構成を採用することにより、より臨場感あふれる音場を再現することができる。なお、脚部２０に装備された機器類の配線もまた、水平台部１０の配線収容部１３に収容され得る。
【００２１】
ここまで本発明の好ましい実施形態について説明してきたが、本発明はこれらの実施形態には限定されない。例えば、水平台部１０の側面部および／または背面部にスピーカーを設置してもよい。また例えば、水平台部１０と脚部２０との間に制振材や吸音材（例えば、コルク、発泡ポリエチレン）を配置してもよい。また例えば、脚部２０には何の機器も装備せず、物品収納部として利用してもよい。なお、上記実施形態では、仕切壁を斜めに設けているが、仕切壁をスピーカーの軸方向と平行に設けてもかまわない。したがって、緩衝空間もスピーカーの軸方向に平行に規定されていてもかまわない。
【産業上の利用可能性】
【００２２】
本発明のスピーカーシステムは、大型テレビ用スピーカーとして、および／または、大型テレビ用ラックとして好適に用いられ得る。
【符号の説明】
【００２３】
１０    水平台部
１１Ｌ  左スピーカー
１１Ｒ  右スピーカー
１１Ｃ  中央スピーカー
１２    仕切壁
１３    配線収容部
１５    緩衝空間
２０    脚部
１００    スピーカーシステム
【図１】
2010178378.tif 000003
【図２】
2010178378.tif 000004
【図３】
2010178378.tif 000005
【図４】
2010178378.tif 000006